(57)【要約】【課題】印刷装置に対して印刷する文書を指定する際の作業の手間を、その文書を識別する情報をキーボード等から入力する場合よりも軽減する。【解決手段】ユーザが店舗１０で購入した商品の代金を電子マネーカードで決済すると、その決済情報が決済サーバ３００に送られる。決済サーバ３００は、決済された商品の中にキャンペーン対象があれば、決済情報に含まれるカード番号とその商品のコードをネットプリントサーバ４００に送る。ネットプリントサーバ４００は、その商品のキャンペーン特典の印刷データをそのカード番号に対応付けて店舗１０の複合機２００に送る。複合機２００は、ユーザが提示した電子マネーカードのカード番号に対応する印刷データを印刷出力する。【選択図】図１
2019040337.tif 000002
【特許請求の範囲】
【請求項１】
管理装置と、印刷装置とを含み、
管理装置は、
印刷データとユーザの決済カードのカード番号とを互いに対応付けて記憶する記憶手段、
を含み、
印刷装置は、
ユーザの決済カードからカード番号を読み取る読み取り手段と、
前記管理装置から取得した前記印刷データであって、前記読み取り手段が読み取ったカード番号に対応する印刷データ、を印刷する印刷手段と、
を含む印刷管理システム。
【請求項２】
前記管理装置は、
ユーザが購入した商品に対応する特典の印刷データを特定する特典特定手段と、
前記特典特定手段が特定した特典の印刷データを、そのユーザがその商品の代金の決済のために提示した決済カードのカード番号と対応付けて前記記憶手段に記憶させる手段と、
を更に含む請求項１に記載の印刷管理システム。
【請求項３】
複数の店舗にそれぞれ前記印刷装置が設置され、
前記管理装置は、
前記ユーザが前記印刷データを印刷するのに利用する店舗を推定する推定手段と、
前記印刷データと前記カード番号とが互いに対応付けて前記記憶手段に記憶された後、且つ前記ユーザが前記決済カードを前記読み取り手段に読み取らせる前に、前記推定手段が推定した１以上の店舗に設置された前記印刷装置に対して、当該印刷データと前記ユーザの前記決済カードの番号とを送信する事前送信手段と、
を含み、
前記印刷装置は、
前記管理装置の前記事前送信手段から送信された前記印刷データと前記ユーザの前記決済カードの番号とを互いに対応付けて保持する保持手段、を更に含み、
前記印刷手段は、前記読み取り手段が読み取ったカード番号に対応する前記印刷データが前記保持手段に保持されている場合には、保持されているその印刷データを印刷する、
ことを特徴とする請求項１又は２に記載の印刷管理システム。
【請求項４】
前記管理装置は、
前記複数の店舗の各々の位置の情報を記憶する店舗位置記憶手段と、
前記ユーザの位置を示す情報を取得する位置取得手段と、
を更に含み、
前記管理装置の前記推定手段は、前記位置取得手段が取得した前記位置の近傍に位置する１以上の店舗を、前記ユーザが前記印刷データを印刷するのに利用する店舗を推定する請求項３に記載の印刷管理システム。
【請求項５】
前記位置取得手段は、前記店舗で前記ユーザが前記決済カードを用いて決済を行ったときに前記店舗に設置されたレジスタから送られてくる決済情報を取得し、この決済情報に含まれる店舗コードを前記ユーザの位置を示す情報として用いる、請求項４に記載の印刷管理システム。
【請求項６】
前記推定手段は、前記ユーザの前記決済カードの利用履歴に基づいて、前記ユーザが前記印刷データを印刷するのに利用する店舗を推定する請求項３に記載の印刷管理システム。
【請求項７】
前記推定手段は、前記利用履歴内の前記決済カードの利用日時の情報に従って、前記ユーザが前記印刷データを印刷するのに利用する店舗を推定する請求項６に記載の印刷管理システム。
【請求項８】
ユーザが購入した商品に対応する特典の印刷データを特定する特典特定手段と、
前記特典特定手段が特定した特典の印刷データを、そのユーザがその商品の代金の決済のために提示した決済カードのカード番号と対応付けて印刷装置に送信する手段と、
を含む管理装置。
【請求項９】
管理装置から、ユーザの決済カードのカード番号と、そのカード番号に対応する印刷データとを受信する手段と、
ユーザの決済カードからカード番号を読み取る読み取り手段と、
前記読み取り手段が読み取ったカード番号に対応する印刷データを印刷する印刷手段と、
を含む印刷装置。
【発明の詳細な説明】
【技術分野】
【０００１】
本発明は、印刷管理システム、管理装置及び印刷装置に関する。
【背景技術】
【０００２】
特許文献１には、電子マネーを利用してキャンペーンを行うシステムが開示されている。このシステムでは、ユーザは、電子マネー機能を搭載したユーザ端末からキャンペーンサーバにアクセスし、キャンペーンへの参加を登録した後、ユーザ端末あるいは電子マネーカードを用いて電子決済搭載自動販売機で対象となる商品を購入する。電子決済搭載自動販売機に記録された売上情報は、定期的に自販機管理サーバに送る。キャンペーンサーバは、キャンペーンに登録したユーザの電子マネーカード番号と、自販機管理サーバの売上情報ＤＢに保持される売上情報の電子マネーカード番号のマッチングを行い、一致した電子マネーカード番号に対応するユーザのポイントを加算する。
【０００３】
また、インターネット経由の印刷サービスが普及している。この種のサービスでは、ユーザは、印刷したい文書データを例えば自宅のパソコンからインターネット経由でサーバに登録する。その後ユーザは、このサービスに対応したプリンタが設置された店舗に出向き、自分のユーザ識別情報または登録時にサーバから通知されたその文書データの識別情報をプリンタに入力する。プリンタは、その識別情報に対応する文書データをサーバからプリンタにダウンロードし、印刷する。
【先行技術文献】
【特許文献】
【０００４】
【特許文献１】特開２００８−２６２３１３号公報
【発明の概要】
【発明が解決しようとする課題】
【０００５】
しかし、サーバに登録した文書データを識別するための情報をプリンタの操作パネル上のキーボード等から入力するには手間がかかる。
【０００６】
本発明は、印刷装置に対して印刷する文書を指定する際の作業の手間を、その文書を識別する情報をキーボード等から入力する場合よりも軽減することを目的とする。
【課題を解決するための手段】
【０００７】
請求項１に係る発明は、管理装置と、印刷装置とを含み、管理装置は、印刷データとユーザの決済カードのカード番号とを互いに対応付けて記憶する記憶手段、を含み、印刷装置は、ユーザの決済カードからカード番号を読み取る読み取り手段と、前記管理装置から取得した前記印刷データであって、前記読み取り手段が読み取ったカード番号に対応する印刷データ、を印刷する印刷手段と、を含む印刷管理システムである。
【０００８】
請求項２に係る発明は、前記管理装置は、ユーザが購入した商品に対応する特典の印刷データを特定する特典特定手段と、前記特典特定手段が特定した特典の印刷データを、そのユーザがその商品の代金の決済のために提示した決済カードのカード番号と対応付けて前記記憶手段に記憶させる手段と、を更に含む請求項１に記載の印刷管理システムである。
【０００９】
請求項３に係る発明は、複数の店舗にそれぞれ前記印刷装置が設置され、前記管理装置は、前記ユーザが前記印刷データを印刷するのに利用する店舗を推定する推定手段と、前記印刷データと前記カード番号とが互いに対応付けて前記記憶手段に記憶された後、且つ前記ユーザが前記決済カードを前記読み取り手段に読み取らせる前に、前記推定手段が推定した１以上の店舗に設置された前記印刷装置に対して、当該印刷データと前記ユーザの前記決済カードの番号とを送信する事前送信手段と、を含み、前記印刷装置は、前記管理装置の前記事前送信手段から送信された前記印刷データと前記ユーザの前記決済カードの番号とを互いに対応付けて保持する保持手段、を更に含み、前記印刷手段は、前記読み取り手段が読み取ったカード番号に対応する前記印刷データが前記保持手段に保持されている場合には、保持されているその印刷データを印刷する、ことを特徴とする請求項１又は２に記載の印刷管理システムである。
【００１０】
請求項４に係る発明は、前記管理装置は、前記複数の店舗の各々の位置の情報を記憶する店舗位置記憶手段と、前記ユーザの位置を示す情報を取得する位置取得手段と、を更に含み、前記管理装置の前記推定手段は、前記位置取得手段が取得した前記位置の近傍に位置する１以上の店舗を、前記ユーザが前記印刷データを印刷するのに利用する店舗を推定する請求項３に記載の印刷管理システムである。
【００１１】
請求項５に係る発明は、前記位置取得手段は、前記店舗で前記ユーザが前記決済カードを用いて決済を行ったときに前記店舗に設置されたレジスタから送られてくる決済情報を取得し、この決済情報に含まれる店舗コードを前記ユーザの位置を示す情報として用いる、請求項４に記載の印刷管理システムである。
【００１２】
請求項６に係る発明は、前記推定手段は、前記ユーザの前記決済カードの利用履歴に基づいて、前記ユーザが前記印刷データを印刷するのに利用する店舗を推定する請求項３に記載の印刷管理システムである。
【００１３】
請求項７に係る発明は、前記推定手段は、前記利用履歴内の前記決済カードの利用日時の情報に従って、前記ユーザが前記印刷データを印刷するのに利用する店舗を推定する請求項６に記載の印刷管理システムである。
【００１４】
請求項８に係る発明は、ユーザが購入した商品に対応する特典の印刷データを特定する特典特定手段と、前記特典特定手段が特定した特典の印刷データを、そのユーザがその商品の代金の決済のために提示した決済カードのカード番号と対応付けて印刷装置に送信する手段と、を含む管理装置である。
【００１５】
請求項９に係る発明は、管理装置から、ユーザの決済カードのカード番号と、そのカード番号に対応する印刷データとを受信する手段と、ユーザの決済カードからカード番号を読み取る読み取り手段と、前記読み取り手段が読み取ったカード番号に対応する印刷データを印刷する印刷手段と、を含む印刷装置である。
【発明の効果】
【００１６】
請求項１又は９に係る発明によれば、印刷装置に対して印刷する文書を指定する際の作業の手間を、その文書を識別する情報をキーボード等から入力する場合よりも軽減することができる。
【００１７】
請求項２又は８に係る発明によれば、商品の代金を決済カードで決済すれば、同じ決済カードを印刷装置に提示するという簡単な操作で、その商品に対応する特典の印刷データを印刷することができる。
【００１８】
請求項３に係る発明によれば、推定手段の推定が的中した場合、管理装置からその印刷装置にその印刷データを取得するのに要する時間を隠蔽し、ユーザがその印刷装置に決済カードを提示するとすぐにその印刷データを出力できる。
【００１９】
請求項４に係る発明によれば、ユーザが印刷データの印刷に用いる可能性が高いユーザの近傍の店舗に印刷データを送信しておくことができる。
【００２０】
請求項５に係る発明によれば、ユーザの端末等から位置情報を管理装置に送らなくても、ユーザが店舗での決済を決済カードで行えば、そのユーザの位置が特定でき、そのユーザの近傍の店舗が特定できる。
【００２１】
請求項６又は７に係る発明によれば、決済カードの利用履歴から求められるユーザが利用する可能性の高い店舗の印刷装置に印刷データを送信することができる。
【図面の簡単な説明】
【００２２】
【図１】実施形態のシステム構成を例示する図である。
【図２】ＰＯＳレジスタの機能構成を例示する図である。
【図３】決済サーバの機能構成を例示する図である。
【図４】ネットプリントサーバの機能構成を例示する図である。
【図５】店舗管理情報の例を示す図である。
【図６】ネットプリントサーバが持つ印刷データ管理情報の例を示す図である。
【図７】ネットプリントサーバが持つ予約番号管理情報の例を示す図である。
【図８】ネットプリントサーバが持つキャンペーン管理情報の例を示す図である。
【図９】複合機の機能構成を例示する図である。
【図１０】複合機が持つ印刷データ管理情報の例を示す図である。
【図１１】実施例のシステムにおいてユーザが商品を購入した際の処理の流れを例示する図である。
【図１２】商品購入により得た特典コンテンツを店舗の複合機で印刷する際の処理の流れを例示する図である。
【図１３】複合機の操作画面に表示される選択画面の例を示す図である。
【図１４】複合機の利用料金が電子マネーで決済された際の処理の流れを例示する図である。
【図１５】ネットプリントサーバが持つ印刷データ管理情報の別の例を示す図である。
【図１６】電子マネーカードのカード番号を有する携帯端末からネットプリントサーバに印刷対象の文書を登録する際の処理の流れを例示する図である。
【図１７】携帯端末に表示される、電子マネーカードのカード番号を印刷対象の文書と共に登録することの可否を問い合わせる画面の例を示す図である。
【図１８】図１６の例においてネットプリントサーバが用いる印刷データ管理情報の例を示す図である。
【発明を実施するための形態】
【００２３】
図１に本発明の一実施形態のシステム構成を例示する。図示のシステムは、ＰＯＳレジスタ１００、複合機２００、決済サーバ３００、ネットプリントサーバ４００、地図サーバ５００を含む。このシステムは、商品（サービス等も含む）の販売促進キャンペーンのために対象の商品を購入した客（ユーザ）に特典コンテンツの印刷物（例えばカードやポスター）を無償で提供する場合の例である。印刷物はネットプリントサーバ４００に保持された特典コンテンツの印刷データを複合機２００から印刷出力される形で提供される。
【００２４】
このシステムにおいて、ＰＯＳ（Point Of Sales）レジスタ１００は、ＰＯＳ機能を有するキャッシュレジスタである。ＰＯＳレジスタ１００には、電子マネーカードを読み取る装置が接続されている。
【００２５】
複合機２００は、プリンタ、スキャナ、コピー機、ファクシミリ装置、ネットワーク通信機能、ウェブブラウザその他の情報処理機能を併せ持つ装置である。
【００２６】
ＰＯＳレジスタ１００と複合機２００は、コンビニエンスストア等の店舗１０内に設置されている。
【００２７】
決済サーバ３００は、ユーザ（客）が商品等の代金の支払いを電子マネーカードを用いて行った場合の決済情報を収集し、決済を行うサーバである。付随的な処理として、電子マネーカードでの支払いに応じてユーザにポイントを付与する等の処理を行ってもよい。
【００２８】
ネットプリントサーバ４００は、ユーザに対してインターネット経由での印刷サービスを提供するサーバである。ネットプリントサーバ４００のサービスの流れは以下の通りである。すなわち、ユーザは、自分の端末からインターネット上のネットプリントサーバ４００にアクセスし、印刷データをアップロードする。ネットプリントサーバ４００は、一意な予約番号を生成し、その予約番号に対応付けてその印刷データを保存すると共に、その予約番号をユーザの端末に応答する。ユーザは、ネットプリントサーバ４００に登録されたプリンタが設置された身近な店舗まで出向き、その店舗内のプリンタ（複合機２００等）にその予約番号を入力する。プリンタは、ネットプリントサーバ４００にアクセスしてその予約番号に対応する印刷データをダウンロードし、印刷出力する。
【００２９】
ネットプリントサーバ４００に印刷データ（コンテンツ）を登録するユーザと、その印刷データを店舗のプリンタで印刷するユーザとは同一でなくてもよい。例えば、企業がネットプリントサーバ４００にコンテンツを登録し、ユーザの何らかの行為（例えば商品購入、ユーザについての情報の登録）に対する対価としてそのコンテンツの印刷のための予約番号をそのユーザに提供することも可能である。その具体例として、企業が商品の販売促進キャンペーンのために、その商品を購入したユーザに特典画像を複合機２００で無料で印刷するための予約番号を付与することも行われている。この実施形態では、キャンペーン対象商品の代金支払いに電子マネーカードが用いられた場合に、電子マネーカードのカード番号をキャンペーン特典コンテンツの無料印刷権とリンクすることで、ユーザが予約番号を複合機２００に入力する手間をなくす。
【００３０】
地図サーバ５００は、地図に基づく位置情報サービスを提供するサーバである。この例では、地図サーバ５００は、ネットプリントサーバ４００のサービスに対応したプリンタ（複合機２００等）を設置した店舗の位置情報（緯度及び経度）を保持している。そして、ネットプリントサーバ４００からの問合せに応じて、問合せに係る位置に近い（例えばその位置から所定（すなわち予め定めた）距離以内）店舗の店舗コード等の情報を返す。
【００３１】
ＰＯＳレジスタ１００（あるいはこれが接続された店舗内ネットワーク）は、専用線２２を介して決済サーバ３００に接続されている。また、決済サーバ３００は専用線２４を介してネットプリントサーバ４００に接続されており、ネットプリントサーバ４００は専用線２６を介して店舗内の複合機２００（又は店舗内ネットワーク）に接続されている。
【００３２】
図２は、ＰＯＳレジスタ１００のうち、本実施形態の制御に関係する機能要素群を示す図である。ＰＯＳレジスタ１００は、カード情報読取部１０２、決済処理部１０４、決済情報送信部１０６を含む。
【００３３】
カード情報読取部１０２は、商品等の代金の支払いのためにユーザから提示された電子マネーカードの情報を、例えばＮＦＣ（Near Field Communication）規格に準拠した通信により、読み取る。読み取る情報には、その電子マネーカードの識別番号であるカード番号が含まれる。また、読み取る情報には、そのカードが持つ電子マネーの残高が含まれていてもよい。なお、カード情報読取部１０２が読み取る電子マネーカードは、プラスチック製のカードの形態に限らない。ＮＦＣ等の近接通信機能を備えた携帯端末（例えばスマートフォン）に、電子マネーカードの規格に従った通信及び決済の処理を行うアプリケーションをインストールしたものも、カード情報読取部１０２が読み取り可能な電子マネーカードの一形態である。
【００３４】
決済処理部１０４は、商品等の代金の決済のための処理を行う。ユーザから決済手段として電子マネーカードが提示された場合、決済処理部１０４は、そのユーザが購入する商品群の価格の合計をその電子マネーカードの残高から引き去る処理を行う。残高情報を電子マネーカード内のチップに持たせる場合は、決済処理部１０４は引き去り後の残高をＮＦＣ等により電子マネーカードに書き込む。また、電子マネーカードが残高情報を持っていない態様では、読み取られたカード番号に対応する残高を決済サーバ３００から受け取り、代金の引き去りを行う。
【００３５】
決済情報送信部１０６は、決済処理部１０４が行った決済処理の情報（決済情報）を決済サーバ３００に送信する。送信される決済情報には、電子マネーカードのカード番号、購入（支払い）の日時、支払いが行われた店舗の識別情報である店舗コード（決済店舗コード）、購入された各商品の識別情報である商品コード、支払額（購入された商品の金額の合計）等の情報が含まれる。購入された各商品の価格の情報、及び／又はカード残高の情報が更に含まれていてもよい。
【００３６】
図３は、決済サーバ３００のうち本実施形態の制御に関係する機能要素群を示す図である。決済サーバ３００は、決済情報受信部３０２、決済情報管理部３０４、通知送信部３０６を含む。
【００３７】
決済情報受信部３０２は、ＰＯＳレジスタ１００が送信した決済情報を受信する。
【００３８】
決済情報管理部３０４は、決済情報受信部３０２が受信した決済情報を決済履歴管理用のデータベースに保存する。また、そのデータベースが保持するカード番号に対応する残高の情報を、その決済情報に従い最新の残高額に更新する。
【００３９】
通知送信部３０６は、決済情報受信部３０２が受信した決済情報の中に、キャンペーン対象商品の商品コードが含まれていた場合、ネットプリントサーバ４００に対して検出通知を送信する。この通知には、カード番号、日時、店舗コード、キャンペーン対象商品の商品コード（該当する物が複数あれば複数の商品コード）が含まれる。
【００４０】
図４は、ネットプリントサーバ４００のうち本実施形態の制御に関係する機能要素群を示す図である。ネットプリントサーバ４００は、通知受信部４０２、店舗情報管理部４０４、印刷データ管理部４０６、照会処理部４０８及び印刷データ送信部４１０を含む。
【００４１】
通知受信部４０２は、決済サーバ３００から送信された検出通知を受信する。
【００４２】
店舗情報管理部４０４は、ネットプリントサーバ４００に登録されているプリンタ（複合機２００等）が設置された店舗（登録店舗と呼ぶ）の情報を管理している。図５に、店舗情報管理部４０４に保持される店舗管理情報のデータ内容の例を示す。この例では、店舗管理情報には、登録店舗毎に、店舗コード、その店舗に設置された複合機２００のＩＰアドレス、店名、位置情報（例えば緯度と経度の組）が含まれる。なお、各登録店舗の店舗コード、店名、位置情報は、地図サーバ５００にも保持されている。
【００４３】
印刷データ管理部４０６は、登録された印刷データ（コンテンツ）に関する情報を管理する。印刷データ管理部４０６は、印刷データ管理情報（図６）、予約番号管理情報（図７）、キャンペーン管理情報（図８）を保持している。
【００４４】
印刷データ管理情報は、ネットプリントサーバ４００にカード番号に対応づけて登録された印刷データについての管理情報である。印刷データ管理情報の個々のレコード（図示のテーブルの１行）には、図６に示すように、カード番号、キャンペーン対象商品コード、決済店舗コード、周辺店舗、予約番号の項目が含まれる。カード番号は、登録された印刷データ（キャンペーン特典のコンテンツ）に対応する販促キャンペーンの対象商品をユーザが購入した際に決済に使用した電子マネーカードのカード番号である。キャンペーン対象商品コードは、その対象商品の商品コードである。
【００４５】
決済店舗コードは、そのカード番号の電子マネーカードを用いてそのユーザが最後（すなわち最新）に決済を行った店舗の店舗コードである。そのユーザがある店舗でその対象商品を購入してその代金をその電子マネーカードで決済した時点では、決済店舗コードの欄には、その店舗の店舗コードが登録される。その後、そのユーザが持つその印刷データの無料印刷権が無くなる（例えば印刷可能な枚数の印刷が完了した場合、又はキャンペーン期間が過ぎた場合）までに、そのユーザが電子マネーカードを用いて別の商品（キャンペーンの対象商品でなくてもよい）の購入を行うと、その決済店舗コードの欄の情報は、その別の商品を購入した店舗の店舗コードに変わる。すなわち、決済店舗コードは、電子マネーカードを用いた決済によりネットプリントサーバ４００が認識することが可能な、ユーザの最新の所在位置（最後に買い物をした店舗）を示している。
【００４６】
周辺店舗の欄は、決済店舗コードが示す店舗の近傍（例えば所定距離以内）にある登録店舗の店舗コードのリストを示す。上述の通り決済店舗コードはネットプリントサーバ４００が認識可能なユーザの最新の位置を示しており、周辺店舗はその最新の位置の近傍の店舗群を示す。
【００４７】
決済店舗コード及び周辺店舗の情報は、印刷データを事前に（すなわちユーザが要求する前に）送信しておく送信先の店舗（複合機２００）を特定するために用いる。すなわち、この例では、決済店舗コード及び周辺店舗の欄に示される各店舗の複合機２００に、その印刷データを予め送信しておく。これにより、ユーザがその印刷データを印刷するためにそのいずれかの店舗に来たときには、印刷データは既にその店舗の複合機２００にあるので、その印刷データをダウンロードする時間が隠蔽される。
【００４８】
予約番号は、その印刷データに対応づけられた一意な識別情報である。ネットプリントサーバ４００を利用した印刷の通常の作業フローでは、ユーザはネットプリントサーバ４００から発行された予約番号を複合機２００に入力することで印刷データを特定する。これに対してこの例では、ネットプリントサーバ４００（印刷データ管理部４０６内の印刷データ管理情報）にて、予約番号が電子マネーカードのカード番号に対応づけて管理されているので、ユーザが電子マネーカードを複合機２００に読み取らせれば、予約番号の入力がなくてもその印刷データが特定される。
【００４９】
次に、図７を参照して、予約番号管理情報について説明する。予約番号管理情報の個々のレコードには、予約番号、親番号、印刷回数、キャンペーン対象商品コードの項目が含まれる。
【００５０】
予約番号は、当該レコードの対象となる予約番号である。
【００５１】
親番号は、その予約番号に対応する一意な識別情報である。その予約番号に対応するキャンペーン特典の印刷データは、親番号に対応づけられている（図示省略）。キャンペーン特典の印刷データの印刷権（予約番号）は多数のユーザに付与されるので、印刷データを個々の予約番号に対応づけて管理する代わりに１つの親番号に対応づけて管理し、それら多数の予約番号をその１つの親番号と対応づけて管理している。
【００５２】
印刷回数は、その予約番号を用いてその印刷データを印刷出力した回数である。キャンペーン特典の印刷データには、例えば対象商品１つにつき印刷２回まで、というように印刷出力可能な上限回数が定められている。印刷回数の欄は、印刷回数がその上限回数に達したか否かの確認のために用いられる。
【００５３】
キャンペーン対象商品コードは、その予約番号に対応するキャンペーン対象商品の商品コードである。
【００５４】
次に、図８を参照して、キャンペーン管理情報について説明する。キャンペーン管理情報の個々のレコードには、キャンペーン対象商品コード、キャンペーン名、開始日、終了日、親番号の項目が含まれる。
【００５５】
キャンペーン対象商品コードは、当該レコードの対象となるキャンペーン対象商品の商品コードである。キャンペーン名は、そのキャンペーンの名称である。開始日及び終了日は、それぞれ、そのキャンペーンが開始及び終了する日付である。親番号は、そのキャンペーンの特典コンテンツの印刷データに対応づけられた親番号である。
【００５６】
なお、上述の通り決済サーバ３００は、キャンペーン対象商品の代金を決済した場合にその旨を示す通知（前述の検出通知）をネットプリントサーバ４００に送る。この処理を可能にするために、決済サーバ３００には、図８に示した項目のうち、キャンペーン対象商品ごとに、キャンペーン対象商品コード、開始日、及び終了日の組の情報が登録されている。
【００５７】
図４の説明に戻ると、ネットプリントサーバ４００の照会処理部４０８は、複合機２００からの予約番号の照会要求を受けて、その予約番号に対応する印刷データを印刷データ管理部４０６から取得する処理を行う。
【００５８】
印刷データ送信部４１０は、複合機２００から照会された予約番号に対応する印刷データをその複合機２００に送信する。また、印刷データ管理情報（図６）のレコード内の決済店舗コード及び周辺店舗の項目に示される各店舗の複合機２００に対して、そのレコードの予約番号に対応する印刷データを事前に（すなわちユーザの要求が行われる前に）送信する。
【００５９】
次に、図９を参照して、複合機２００の機能構成について説明する。図９は、複合機２００のうち本実施形態の制御に関係する機能要素群を示す図である。複合機２００は、カード情報読取部２０２、決済処理部２０４、決済情報送信部２０６、印刷データ受信部２０８、印刷データ管理部２１０、印刷データ照会部２１２、印刷データ出力部２１４を含む。
【００６０】
カード情報読取部２０２は、複合機２００の利用料金の支払いのためにユーザから提示された電子マネーカードの情報をＮＦＣ等の通信により読み取る。読み取る情報には、その電子マネーカードの識別番号であるカード番号が含まれる。更に電子マネーの残高の情報が含まれていてもよい。
【００６１】
決済処理部２０４は、利用料金の決済のための処理を行う。ユーザから決済手段として電子マネーカードが提示された場合、決済処理部２０４は、利用料金をその電子マネーカードの残高から引き去る処理を行う。
【００６２】
決済情報送信部２０６は、決済処理部２０４が行った決済処理の情報（決済情報）を決済サーバ３００に送信する。送信される決済情報には、電子マネーカードのカード番号、購入（支払い）の日時、支払いが行われた店舗の識別情報である店舗コード（決済店舗コード）、支払額等の情報が含まれる。
【００６３】
印刷データ受信部２０８は、ネットプリントサーバ４００から送信された印刷データを受信する。印刷データ管理部２１０は、受信した印刷データを管理する。図１０に、印刷データ管理部２１０が保持する印刷データ管理情報を例示する。この例は、キャンペーン特典の印刷データについての管理情報を示している。この例の印刷データ管理情報の個々のレコードには、カード番号、キャンペーン対象商品コード、キャンペーン名、印刷回数、データ受信日時、格納場所の項目が含まれる。これら項目のうち、カード番号、キャンペーン対象商品コード、キャンペーン名、印刷回数は、既に説明したネットプリントサーバ４００内の同名の項目と同じものであり、印刷データと共にネットプリントサーバ４００から送信されてくる。データ受信日時は、その印刷データを受信した日時である。データ受信日時から所定の時間が経過すると、印刷データ管理部２１０は、そのレコード及び印刷データを削除する。本実施形態では、決済店舗コードが示す店舗及び周辺店舗の複合機２００に特典の印刷データを前もって送信する方式をとっているので、実際にユーザが利用しない複合機２００にもその印刷データを送ることになる。このように投機的に送信した印刷データが複合機２００の記憶容量を過度に圧迫しないよう、データ受信日時から所定時間が経過した時点で、その印刷データと管理情報のレコードを削除するのである。図１０において、格納場所は、複合機２００のファイルシステムにおいて、その印刷データを格納した場所のファイルパスである。なお、印刷データ管理情報のレコード内に、予約番号を含めてもよい。
【００６４】
図９の説明に戻ると、印刷データ照会部２１２は、ユーザから入力された予約番号に対応する印刷データ、又はユーザから提示された電子マネーカードのカード番号に対応する印刷データ、が印刷データ管理部２１０に格納されていない場合に、ネットプリントサーバ４００にその予約番号又はカード番号に対応する印刷データがあるかどうか照会する。対応する印刷データがネットプリントサーバ４００にあれば、その印刷データが応答され、印刷データ受信部２０８がそれを受信する。
【００６５】
印刷データ出力部２１４は、ユーザの入力した予約番号又は電子マネーカードに対応する印刷データを印刷出力する。
【００６６】
次に図１１及び図１２を参照して、本実施形態のシステムにおける処理の流れを説明する。
【００６７】
図１１に示すように、ユーザが店舗１０で商品の購入を行い、その代金の支払いのためにＰＯＳレジスタ１００のカード情報読取部１０２に対して電子マネーカードを提示したとする。すると、カード情報読取部１０２がその電子マネーカードからカード番号等の情報を読み取り、決済処理部１０４が代金の決済処理を行う（Ｓ１０）。そして、決済情報送信部１０６が、決済情報（カード番号、日時、決済店舗コード、購入された商品の商品コードのリスト、支払金額等の情報を含む）を決済サーバ３００に送信する（Ｓ１２）。決済情報を受け取った決済サーバ３００では、決済情報管理部３０４がその決済情報を決済履歴のデータベースに登録すると共に、その決済情報中の商品コードのリストの中に、現在実施中のキャンペーンの対象の商品コードが含まれるか否かを判定する（Ｓ１４）。この判定は、登録されているキャンペーンの情報（キャンペーン対象商品コード、開始日、終了日）を参照して行う。
【００６８】
Ｓ１４の判定の結果が肯定（Ｙ：キャンペーン対象商品コードが含まれる）の場合、通知送信部３０６が、検出通知をネットプリントサーバ４００に送信する（Ｓ１６）。この検出通知には、上述の決済情報に含まれる情報のうち、カード番号、日時、決済店舗コード、キャンペーン対象商品の商品コード、が含まれる。
【００６９】
この検出通知を受け取ったネットプリントサーバ４００の印刷データ管理部４０６は、その検出通知に含まれるキャンペーン対象商品コードに対応するキャンペーン特典コンテンツの識別情報（すなわち上述の親番号）をキャンペーン管理情報（図８参照）から求める。また、現在、そのキャンペーン対象商品コードに対応するキャンペーンの実施期間中であることを確認する。確認がなされると、印刷データ管理部４０６は、新たな予約番号を発行し、その予約番号をその親番号に対応づける新たなレコードを予約番号管理情報（図７参照）に登録する。この時点では、そのレコード中の印刷回数の値は０である。また印刷データ管理部４０６は、上記検出通知中のカード番号、キャンペーン対象商品コード及び決済店舗コードと、先ほど発行した予約番号とを含む新たなレコードを、印刷データ管理情報（図６参照）に登録する（Ｓ１８）。
【００７０】
また、印刷データ管理部４０６は、決済店舗コードに対応する店舗の位置を店舗情報管理部４０４から求め、その位置から所定距離以内にある店舗（ネットプリントサーバ４００に登録された複合機２００が設置された店舗）を地図サーバ５００に照会する（Ｓ２０）。地図サーバ５００は、その照会に応じて、その条件に該当する店舗の情報（店舗コード等）をネットプリントサーバ４００に返す。ネットプリントサーバ４００の印刷データ管理部４０６は、地図サーバ５００から受け取った店舗コードを、印刷管理情報の周辺店舗の欄に登録する。そして、印刷データ管理部４０６は、今回決済された商品に対応するキャンペーン特典コンテンツの印刷データと、検出通知に含まれるカード番号及び商品コードと、当該キャンペーンのキャンペーン名とを、決済店舗コードに対応する店舗、及び周辺店舗の欄に登録された各店舗の複合機２００に送信する（Ｓ２２）。この送信は、店舗情報管理部４０４の管理情報（図５参照）に含まれるそれら各店舗のＩＰアドレスの情報を用いて行う。
【００７１】
また、印刷データ管理部４０６は、印刷データ管理情報（図６参照）内に、その検出通知に含まれるカード番号を含んだ実施中のキャンペーン（図８のキャンペーン管理データの開始日、終了日から判別）の対象商品（今回決済された商品以外のもの）の商品コードを含んだレコードであって、印刷回数が上限に達していないレコードがあるかどうかを調べる。その条件に該当するレコードがあれば、そのレコード中の決済店舗コード及び周辺店舗を、その検出通知に含まれる店舗コード、及びＳ２０の照会で判明した店舗コードのリストへと変更する。そして、変更後の決済店舗コード及び周辺店舗が示す各店舗の複合機２００に対して、そのレコード内の予約番号に対応するコンテンツの印刷データを送信する（Ｓ２２：事前送信）。これにより、そのユーザが得ている他の特典コンテンツについても、検知されたそのユーザの最新の所在位置及びその周辺の店舗の複合機２００で印刷出力される際には、既に複合機２００内にその特典コンテンツの印刷データが存在していることとなる。
【００７２】
Ｓ１４の判定結果が否定（Ｎ）の場合、今回ユーザが購入した商品の中にはキャンペーン対象が含まれない。この場合、決済サーバ３００は、決済履歴のデータベース内に、その決済情報に含まれるカード番号で実施中のキャンペーンの対象商品を購入したことを示す決済情報があるか否かを調べる（Ｓ２４）。ない場合は処理を終了する。ある場合は、決済サーバ３００は、Ｓ１４で判定した決済情報（Ｓ１２でＰＯＳレジスタ１００から送られてきたもの）中のカード番号、決済店舗コードを含む位置更新通知（更に日時を含んでいてもよい）をネットプリントサーバ４００に送信する（Ｓ２６）。
【００７３】
位置更新通知を受け取ったネットプリントサーバ４００の印刷データ管理部４０６は、印刷データ管理情報（図６）内の、その通知に含まれるカード番号を含んだレコードの中から、対応するキャンペーンがまだ実施中で、かつ印刷回数が上限に達していないレコードを特定する。次に、特定したレコード内の決済店舗コードを、その位置変更通知に含まれる店舗コードへと変更する（Ｓ２８）。次に、変更後の決済店舗コードの店舗の近傍の店舗を地図サーバ５００に照会し（Ｓ２０）、そのレコードの周辺店舗の情報をその照会により得られた店舗コードのリストへと更新する。そして、決済店舗コード及び周辺店舗が示す各店舗の複合機２００に対して、そのレコード内の予約番号に対応するコンテンツの印刷データを送信する（Ｓ２２）。
【００７４】
図１２は、キャンペーン対象商品を購入したユーザがいずれかの店舗１０内の複合機２００から特典コンテンツを印刷する際の処理の流れを示す。ユーザは、特典のコンテンツを印刷したい場合、店舗１０内の複合機２００の操作画面上に表示されたメニューから特典コンテンツ印刷の操作を選択し、操作画面に表示される案内に従ってカード情報読取部２０２に電子マネーカードを提示（例えばタッチ操作）する。カード情報読取部２０２は、その電子マネーカードからカード番号等の情報を読み取る（Ｓ３０）。特典コンテンツ印刷の操作が選択されているので、この場合の電子マネーカードの提示は複合機２００の利用代金の支払いのためではない。この場合、印刷データ管理部２１０が、Ｓ３０で読み取られたカード番号を含むレコード（すなわちそのカード番号に対応する印刷データ）が印刷データ管理部２１０の印刷データ管理情報（図１０）にあるかどうかを判定する（Ｓ３２）。上述のＳ２２の事前送信処理によりその複合機２００にその印刷データが送信されていれば、Ｓ３２の判定結果は肯定（Ｙ）となる。この場合、印刷データ管理部２１０は、見つかったレコードが１つだけかどうか判定する（Ｓ３４）。複数ある場合は、それら複数のレコードの印刷データのいずれを印刷するか及びその印刷の回数を選択する選択画面を複合機２００の操作画面に表示し、ユーザから選択を受け付ける（Ｓ３６）。
【００７５】
図１３にその選択画面の例を示す。この例の選択画面には、見つかった各レコードのキャンペーン名に対応づけて、残り回数及び選択回数が表示される。残り回数は、そのキャンペーン特典の上限印刷回数から既に権利行使済みの印刷回数を引いた残りである。選択回数は、ユーザが今回そのキャンペーンの特典を印刷する回数として選択した回数である。ユーザは、表示された各キャンペーンについての選択回数の値を自分の希望する回数に選択したあと、スタートボタンを押下することで、複合機２００に各キャンペーン特典の印刷を指示する。
【００７６】
Ｓ３６の指示を受け付けると、複合機２００の印刷データ出力部２１４が、その指示に従って特典コンテンツを印刷出力する（Ｓ３８）。印刷出力した回数は、印刷データ管理部２１０の印刷データ管理情報（図１０）内の印刷回数に反映される。また、複合機２００は、ネットプリントサーバ４００に対し、今回の印刷の履歴（例えばカード番号、キャンペーン対象商品コード、印刷回数を含む）をネットプリントサーバ４００に送る。ネットプリントサーバ４００は、受け取った印刷履歴に応じて、印刷データ管理部４０６内の当該カード番号及びキャンペーン対象商品コードの組み合わせに対応する予約番号を特定し、その予約番号に対応する印刷回数をその印刷履歴の情報に応じて更新する。
【００７７】
Ｓ３２でカード番号に対応する印刷データが印刷データ管理部２１０内にない場合には（Ｓ２２で事前送信された複合機２００以外の複合機２００をユーザが利用する場合）、印刷データ照会部２１２が、Ｓ３０で読み取られたカード番号に対応する印刷データをネットプリントサーバ４００に照会する（Ｓ４０）。ネットプリントサーバ４００は、照会されたカード番号に対応する印刷データ（ただし対応するキャンペーンが実施中で、印刷回数が上限に達していないもの）が印刷データ管理部４０６内にあるかどうかを調べ（Ｓ４２）、あればその印刷データをその複合機２００に応答する（Ｓ４４）。複合機２００は、その印刷データを受信して印刷データ管理部２１０に登録すると、Ｓ３４以降の処理を実行する。Ｓ４２の判定結果がＮ（カード番号に対応する印刷データがネットプリントサーバ４００にもない）の場合は、処理を終了する。
【００７８】
以上に説明した処理手順により、ユーザは、電子マネーカードで代金支払いを行った商品に対応するキャンペーン特典コンテンツを印刷する場合、その電子マネーカードを複合機２００のカード情報読取部２０２に提示するという簡単な操作で指示すればよい。複合機２００の画面上の入力欄に予約番号を入力する作業は必要ない。
【００７９】
さて、図１１の手順では、ユーザが店舗でキャンペーン対象以外の商品を電子マネーカードで購入した場合に、その店舗をそのユーザの最新位置とみなし、その最新位置の近傍の店舗でそのユーザがキャンペーン特典の印刷をする場合に備えて、対応する印刷データをそれら店舗の複合機２００に送信した（図１１のＳ２４〜Ｓ２８）。同様の処理は、ユーザが複合機２００をコピー等で利用し、その利用料金を電子マネーカードで決済した場合にも適用可能である。この場合の手順を図１４に示す。
【００８０】
図１４の手順では、複合機２００のカード情報読取部２０２がユーザの提示した電子マネーカードの情報を読み取り、決済処理部２０４がその情報を用いてそのユーザの複合機２００の利用料金の決済処理を行う（Ｓ５０）。次に、決済情報送信部２０６が、決済情報を決済サーバ３００に送信する（Ｓ５２）。送信される決済情報には、電子マネーカードのカード番号、日付、決済店舗コード（その複合機２００が設置された店舗の店舗コード）、利用料金の額、利用の種別（コピー、プリント、スキャンなど）、利用の量（枚数等）等の項目が含まれる。
【００８１】
決済サーバ３００は、複合機２００から決済情報を受け取った場合、決済履歴のデータベース内に、その決済情報に含まれるカード番号で実施中のキャンペーンの対象商品を購入したことを示す決済情報があるか否かを調べる（Ｓ５４）。ない場合は処理を終了する。ある場合は、決済サーバ３００は、決済情報中のカード番号、決済店舗コードを含む位置更新通知をネットプリントサーバ４００に送信する（Ｓ５６）。位置更新通知を受け取ったネットプリントサーバ４００は、印刷データ管理部４０６の印刷データ管理情報（図６）内の、その通知に含まれるカード番号を含んだレコードの中から、対応するキャンペーンがまだ実施中で、かつ印刷回数が上限に達していないレコードを特定する。特定したレコード内の決済店舗コードを、その位置変更通知に含まれる店舗コードへと変更する（Ｓ５８）。次に、図１１のＳ２０と同様、変更後の決済店舗コードの店舗の近傍の店舗を地図サーバ５００に照会し（Ｓ６０）、そのレコードの周辺店舗の情報をその照会により得られた店舗コードのリストへと更新する。そして、決済店舗コード及び周辺店舗が示す各店舗の複合機２００に対して、そのレコード内の予約番号に対応するコンテンツの印刷データを送信する（Ｓ６２）。
【００８２】
以上の例では、特典コンテンツの印刷データの事前送信は、ユーザが代金を電子マネーカードで支払った店舗（決済店舗）とその周辺の店舗の複合機２００に対して行った。これに加えて、ユーザの行動範囲と推定される店舗にもその事前送信を行ってもよい。ユーザの行動範囲の店舗は、そのユーザが利用する可能性が高いと推定される店舗であり、そのユーザの電子マネーカードの利用履歴から推定する。例えば、直近で電子マネー決済した店舗はその一例である。また、そのユーザの電子マネー決済の回数が閾値以上の店舗、電子マネー決済の決済額が閾値以上の店舗など、ユーザの電子マネー決済の回数や決済額から行動範囲の店舗を推定してもよい。ここでユーザの電子マネーカードの利用履歴は、決済サーバ３００が持つ決済履歴のデータベースから抽出すればよい。各ユーザの行動範囲の店舗は、例えば決済サーバ３００が特定し、電子マネーカードのカード番号と行動範囲の店舗との対応関係を示す情報として保管する。
【００８３】
また、ユーザの利用範囲の店舗の推定に、決済カードの利用履歴における利用日時の情報を加味してもよい。ユーザの電子決済の回数が閾値以上の店舗における決済の行われた日時、曜日といった時間情報を加味することで、より具体的な行動範囲の推定を行えるようになる。例えば、あるユーザの平日における店舗の利用履歴（通勤経路で立ち寄る店舗と推定される）と休日における店舗の利用履歴（自宅近辺の店舗と推定される）には偏りがあることが想定されるので、直近の電子マネー決済したときの時間情報を参照すれば、ユーザがこれから向かうであろう店舗が絞り込まれる可能性が高い。そこで、電子決済の利用日時に関する時間情報に応じて印刷データを事前送信する店舗の決定方法を変更してもよい。例えば、直近の利用日時が平日であれば、当該ユーザの平日に利用頻度の高い店舗（直近の利用店舗から離れていてもよい）に対して印刷データを事前送信し、直近の利用日時が休日であれば、直近の利用店舗から所定距離以内の店舗に対して印刷データを事前送信する。
【００８４】
ネットプリントサーバ４００は、決済サーバ３００からその対応関係の情報を入手し、印刷データ管理部２１０が図６にあるカード番号とキャンペーン対象商品コードとの組を含んだ新たなレコードを登録する際に、図１５に示すようにそのカード番号に対応する行動範囲の店舗のリストを併せて登録する。そして、ネットプリントサーバ４００は、図１１のＳ２２で、決済店舗及び周辺店舗に加え、行動範囲の店舗にも、特典コンテンツの印刷データを送信する。
【００８５】
以上では、キャンペーン対象商品の購入に対してユーザに付与する特典コンテンツの印刷を例にとって説明したが、本実施形態の方法の適用はそのような場合に限らない。例えば、ユーザが自分の文書をネットプリントサーバ４００に登録し、店舗１０の複合機２００から印刷出力する場合にも、同様の方法が適用可能である。この変形例を説明する。
【００８６】
この例では、ユーザは自分の携帯端末からネットプリントサーバ４００に印刷対象の文書データを登録する。この携帯端末には、ＮＦＣモジュールが設けられているとともに、ネットプリントサーバ４００に印刷対象の文書のファイルをアップロードするためのアプリケーション（プリントアプリと呼ぶ）、及び電子マネーカードの機能を持つアプリケーション（電子マネーアプリと呼ぶ）がインストールされている。そして、プリントアプリがユーザから指定されたファイルをネットプリントサーバ４００にアップロードする際、ユーザが希望すれば、電子マネーアプリが保持する電子マネーのカード番号を併せてネットプリントサーバ４００に送る。これにより、ユーザは、後でその文書をいずれかの店舗１０の複合機２００で印刷する際に、携帯端末を複合機２００にタップする等により電子マネーのカード番号を複合機２００に伝えることで、予約番号を入力することなしに、その文書の印刷出力を複合機２００に指示する。
【００８７】
図１６に、この変形例においてユーザが文書をネットプリントサーバ４００にアップロードする際の処理手順を例示する。
【００８８】
この手順では，まず携帯端末のプリントアプリは、ユーザからネットプリントサーバ４００への文書ファイルのアップロードの指示を受け付ける（Ｓ７０）と、その携帯端末内に電子マネーアプリがインストールされており、その電子マネーアプリに電子マネーのカード番号が登録されているかどうかを判定する（Ｓ７２）。この判定の結果が肯定（Ｙ）の場合、プリントアプリは、ユーザに対して、その文書ファイルの印刷の指示の方式として、電子マネーカード（携帯端末）のタッチによる方式を用いるか否かを問い合わせる（Ｓ７４）。例えば、プリントアプリは、携帯端末の画面に図１７に例示する問合せダイアログを表示する。図示のダイアログには、電子マネーカードのカード番号を登録すれば、電子マネーカード又はそのカード番号が保持された携帯端末を複合機２００にタッチする操作で文書ファイルの印刷が指示できる旨の説明が表示され、カード番号の登録を行うか否かを指定するボタンが表示される。ユーザが登録する旨のボタンを押すと、Ｓ７４の判定結果は肯定（Ｙ）となる。この場合、プリントアプリは、アップロードを指示された文書ファイル（又はそれから生成した印刷データ）、電子マネーのカード番号、及び当該携帯端末の位置情報（例えば内蔵のＧＰＳシステムから取得した緯度と経度の組）をネットプリントサーバ４００に送信する（Ｓ７６）。
【００８９】
これらの情報を携帯端末のプリントアプリから受信したネットプリントサーバ４００（印刷データ管理部４０６）は、受信したファイルを一意な予約番号と対応付けて保存すると共に、そのファイル（あるいはこれに対応する印刷データ）又は予約番号をその情報に含まれる電子マネーのカード番号と対応付けて記憶する（Ｓ７８）。このとき印刷データ管理部４０６が生成する印刷データ管理情報のレコードの例を図１８に示す。例示のレコードには、カード番号、決済店舗コード又は位置情報、周辺店舗のリスト、予約番号の項目が含まれる。カード番号の項目には、プリントアプリから受け取った情報の中のカード番号の値が登録される。決済店舗コード又は位置情報の項目には、プリントアプリから受け取った情報の中の位置情報が登録される。なお、今後ネットプリントサーバ４００におけるその文書ファイルの保存期間が過ぎるまでに、そのユーザがそのカード番号の電子マネーカードを用いて、ネットプリントサーバ４００に登録されたいずれかの店舗１０で買い物をすると、決済店舗コード又は位置情報の値は、その店舗１０の店舗コードにより上書きされる。また、その文書ファイルの登録の後、ユーザが別の場所から携帯端末のプリントアプリを用いて別の文書をネットプリントサーバ４００に登録した場合、先に登録した文書のレコードにおける決済店舗コード又は位置情報の値は、新たな文書と共にプリントアプリからネットプリントサーバ４００に送信された最新の位置情報に更新される。このように決済店舗コード又は位置情報の項目には、ネットプリントサーバ４００が知得可能な、その携帯端末のユーザの最新の位置を示す位置情報又は決済店舗コードが保持される。周辺店舗のリストは、決済店舗コード又は位置情報が示す位置から所定距離以内にある、ネットプリントサーバ４００に登録された複合機２００を有する店舗１０の店舗コードのリストである。予約番号は、当該文書に対してネットプリントサーバ４００が付与した一意な番号である。
【００９０】
図１６の説明に戻ると、ネットプリントサーバ４００は、携帯端末から受信した情報に含まれる位置情報をキーとして含む周辺店舗の照会要求を地図サーバ５００に送る。これに応じて地図サーバ５００は、その位置情報から所定距離以内の店舗の店舗コードのリストを返す。ネットプリントサーバ４００は、受け取ったリストを印刷データ管理情報（図１８参照）の周辺店舗の欄に登録する（Ｓ８０）。そして、ネットプリントサーバ４００の印刷データ送信部４１０は、それら周辺店舗の各複合機２００に対して、Ｓ７０で受信した文書の印刷データを送信する（Ｓ８２：事前送信）
【００９１】
なお、ユーザがネットプリントサーバ４００に登録した文書を店舗１０の複合機２００から印刷出力する際の処理手順は、図１２に示したものと同様である。
【００９２】
以上に説明した実施形態及び変形例はあくまで一例に過ぎない。上記実施形態及び変形例では、電子マネーカードを用いたが、この代わりに、クレジットカードやデビットカードなどのように、一意なカード番号を持ち、かつ決済機能を持つ、他の種類の決済カード（又はこの機能を持つ携帯端末）を用いてもよい。
【００９３】
以上、本発明の実施形態を説明した。以上に例示したＰＯＳレジスタ１００、複合機２００、決済サーバ３００、ネットプリントサーバ４００は、コンピュータに上述の各機能を表すプログラムを実行させることにより実現される。ここで、コンピュータは、例えば、ハードウエアとして、ＣＰＵ等のマイクロプロセッサ、ランダムアクセスメモリ（ＲＡＭ）およびリードオンリメモリ（ＲＯＭ）等のメモリ（一次記憶）、フラッシュメモリやＳＳＤ（ソリッドステートドライブ）、ＨＤＤ（ハードディスクドライブ）等の固定記憶装置を制御するコントローラ、各種Ｉ／Ｏ（入出力）インタフェース、ローカルエリアネットワークなどのネットワークとの接続のための制御を行うネットワークインタフェース等が、たとえばバス等を介して接続された回路構成を有する。それら各機能の処理内容が記述されたプログラムがネットワーク等の経由でフラッシュメモリ等の固定記憶装置に保存され、コンピュータにインストールされる。固定記憶装置に記憶されたプログラムがＲＡＭに読み出されＣＰＵ等のマイクロプロセッサにより実行されることにより、上に例示した機能モジュール群が実現される。
【符号の説明】
【００９４】
１００  ＰＯＳレジスタ、１０２  カード情報読取部、１０４  決済処理部、１０６  決済情報送信部、２００  複合機、２０２  カード情報読取部、２０４  決済処理部、２０６  決済情報送信部、２０８  印刷データ受信部、２１０  印刷データ管理部、２１２  印刷データ照会部、２１４  印刷データ出力部、３００  決済サーバ、３０２  決済情報受信部、３０４  決済情報管理部、３０６  通知送信部、４００  ネットプリントサーバ、４０２  通知受信部、４０４  店舗情報管理部、４０６  印刷データ管理部、４０８  照会処理部、４１０  印刷データ送信部、５００  地図サーバ。
【図１】
2019040337.tif 000003
【図２】
2019040337.tif 000004
【図３】
2019040337.tif 000005
【図４】
2019040337.tif 000006
【図５】
2019040337.tif 000007
【図６】
2019040337.tif 000008
【図７】
2019040337.tif 000009
【図８】
2019040337.tif 000010
【図９】
2019040337.tif 000011
【図１０】
2019040337.tif 000012
【図１１】
2019040337.tif 000013
【図１２】
2019040337.tif 000014
【図１３】
2019040337.tif 000015
【図１４】
2019040337.tif 000016
【図１５】
2019040337.tif 000017
【図１６】
2019040337.tif 000018
【図１７】
2019040337.tif 000019
【図１８】
2019040337.tif 000020